(57)【要約】【課題】フィールド機器の耐振動性を確保しつつ支持面に取付け可能であり、構成を簡素化可能なフィールド機器セットを提供する。【解決手段】フィールド機器セット１は、ブラケット４が、屈曲板部材５を有し、屈曲板部材５が、支持面３に取付け可能な平面状の基部壁７０と、基部壁７０に直線状の第１屈曲部１１を介して連なるとともに基部壁７０と垂直な平面状の第１壁１０と、基部壁７０に第１屈曲部１１と垂直な直線状の第２屈曲部２１を介して連なるとともに基部壁７０に対して第１壁１０と同じ側に位置し、基部壁７０と垂直な平面状の第２壁２０と、第２壁２０に直線状の第３屈曲部３１を介して連なるとともに第１壁１０と平行な第３壁３０と、を有し、第１壁１０及び第３壁３０は、所定の締結具によってフィールド機器２に共締め可能な重合部９０を有する。【選択図】図１１
2020071071.tif 000002
【特許請求の範囲】
【請求項１】
フィールド機器と、前記フィールド機器を支持面に取付けるためのブラケットと、で構成されるフィールド機器セットであって、
前記ブラケットは、屈曲板部材を有し、
前記屈曲板部材は、
前記支持面に取付け可能な平面状の基部壁と、
前記基部壁に直線状の第１屈曲部を介して連なるとともに前記基部壁と垂直な平面状の第１壁と、
前記基部壁に前記第１屈曲部と垂直な直線状の第２屈曲部を介して連なるとともに前記基部壁に対して前記第１壁と同じ側に位置し、前記基部壁と垂直な平面状の第２壁と、
前記第２壁に直線状の第３屈曲部を介して連なるとともに前記第１壁と平行な第３壁と、を有し、
前記第１壁及び前記第３壁は、所定の締結具によって前記フィールド機器に共締め可能な重合部を有する、
フィールド機器セット。
【請求項２】
前記第３壁は、前記第２壁が位置する側から前記基部壁を越えて突出する延長部を有し、
前記第２壁は、前記フィールド機器に取付け可能である、請求項１に記載のフィールド機器セット。
【請求項３】
前記屈曲板部材は、
前記基部壁に前記第２屈曲部と平行な直線状の第４屈曲部を介して連なるとともに前記基部壁に対して前記第１壁と同じ側に位置し、前記基部壁と垂直な平面状の第４壁と、
前記第４壁に直線状の第５屈曲部を介して連なるとともに前記第１壁と平行な第５壁と、を有し、
前記第１壁及び前記第５壁は、所定の締結具によって前記フィールド機器に共締め可能な重合部を有する、
請求項２に記載のフィールド機器セット。
【請求項４】
前記第５壁は、前記第４壁が位置する側から前記基部壁を越えて突出する延長部を有し、
前記第４壁は、前記フィールド機器に取付け可能である、
請求項３に記載のフィールド機器セット。
【請求項５】
前記屈曲板部材は、前記基部壁に前記第１屈曲部と平行な直線状の第６屈曲部を介して連なるとともに前記基部壁に対して前記第１壁と反対の側に位置し、前記基部壁と垂直な平面状の第６壁を有し、
前記第６壁は、前記第３壁の前記延長部と同一の形状及び寸法の第１部分と、前記第５壁の前記延長部と同一の形状及び寸法の第２部分と、を有する、
請求項４に記載のフィールド機器セット。
【請求項６】
前記第３壁の前記延長部は、前記第２壁の側から前記第４壁の側に向けて前記基部壁の側に傾斜する傾斜端面を有し、
前記第５壁の前記延長部は、前記第３壁の前記延長部の前記傾斜端面と対称形状の傾斜端面を有する、
請求項５に記載のフィールド機器セット。
【請求項７】
前記基部壁は、
Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部と、
Ｕ字ボルトの両端又は一対のボルトを挿入可能な一対の丸孔と、ベルトを挿入可能な一対の長孔と、マグネット取付け用のボルトを挿入可能な丸孔と、のうちの前記第１取付け部と異なる他の１つである第２取付け部と、を有する、
請求項１〜６のいずれか一項に記載のフィールド機器セット。
【請求項８】
前記基部壁は、Ｕ字ボルトの両端又は一対のボルトを挿入可能な一対の丸孔と、ベルトを挿入可能な一対の長孔と、マグネット取付け用のボルトを挿入可能な丸孔と、のうちの前記第１取付け部及び前記第２取付け部のいずれとも異なる他の１つである第３取付け部を有し、
請求項７に記載のフィールド機器セット。
【請求項９】
屈曲板部材を有するブラケットであって、
前記屈曲板部材は、
Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部を有する平面状の基部壁と、
前記基部壁に直線状の第１屈曲部を介して連なるとともに前記基部壁と垂直な平面状の第１壁と、
前記基部壁に前記第１屈曲部と垂直な直線状の第２屈曲部を介して連なるとともに前記基部壁に対して前記第１壁と同じ側に位置し、前記基部壁と垂直な平面状の第２壁と、
前記第２壁に直線状の第３屈曲部を介して連なるとともに前記第１壁と平行な第３壁と、を有し、
前記第１壁は、丸孔で構成される第１壁取付け部を有し、
前記第３壁は、丸孔で構成される第３壁取付け部を有し、
前記第１壁取付け部と前記第３壁取付け部とは、共通のボルトを挿入可能に重合している、
ブラケット。
【請求項１０】
１枚の板材からなる屈曲板部材を有するブラケットの製造方法であって、
前記屈曲板部材は、
Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部を有する平面状の基部壁と、
前記基部壁に直線状の第１屈曲部を介して連なるとともに前記基部壁と垂直な平面状の第１壁と、
前記基部壁に前記第１屈曲部と垂直な直線状の第２屈曲部を介して連なるとともに前記基部壁に対して前記第１壁と同じ側に位置し、前記基部壁と垂直な平面状の第２壁と、
前記第２壁に直線状の第３屈曲部を介して連なるとともに前記第１壁と平行な第３壁と、を有し、
前記第１壁は、丸孔で構成される第１壁取付け部を有し、
前記第３壁は、丸孔で構成される第３壁取付け部を有し、
前記第１壁取付け部と前記第３壁取付け部とは、共通のボルトを挿入可能に重合しており、
前記１枚の板材に前記第１屈曲部、前記第２屈曲部及び前記第３屈曲部を設ける曲げ工程を有する、
ブラケットの製造方法。
【発明の詳細な説明】
【技術分野】
【０００１】
本開示は、フィールド機器セット、ブラケット及びブラケットの製造方法に関する。
【背景技術】
【０００２】
従来から、プラント等で用いられるフィールド機器を、鉛直又は水平に延在する支柱や壁面等の支持面に取付けるための種々の構造が提案されている（例えば、特許文献１参照）。
【先行技術文献】
【特許文献】
【０００３】
【特許文献１】特開平１１−８２４３０号公報
【発明の概要】
【発明が解決しようとする課題】
【０００４】
フィールド機器を支持面に取付けるに際しては、支持面からフィールド機器に伝わる振動ができるだけ増大しないように強固に取付けることが望ましい。
【０００５】
本開示の目的は、フィールド機器の耐振動性を確保しつつ支持面に取付け可能であり、構成を簡素化可能な、フィールド機器セット、ブラケット及びブラケットの製造方法を提供することにある。
【課題を解決するための手段】
【０００６】
幾つかの実施形態に係るフィールド機器セットは、フィールド機器と、フィールド機器を支持面に取付けるためのブラケットと、で構成されるフィールド機器セットであって、ブラケットは、屈曲板部材を有し、屈曲板部材は、支持面に取付け可能な平面状の基部壁と、基部壁に直線状の第１屈曲部を介して連なるとともに基部壁と垂直な平面状の第１壁と、基部壁に第１屈曲部と垂直な直線状の第２屈曲部を介して連なるとともに基部壁に対して第１壁と同じ側に位置し、基部壁と垂直な平面状の第２壁と、第２壁に直線状の第３屈曲部を介して連なるとともに第１壁と平行な第３壁と、を有し、第１壁及び第３壁は、所定の締結具によってフィールド機器に共締め可能な重合部を有する。このような構成によれば、第１壁及び第３壁を重合部においてフィールド機器に共締めすることにより、第１屈曲部を中心とするフィールド機器の揺動を第３壁及び第２壁によって効果的に支持するとともに、第２屈曲部を中心とするフィールド機器の揺動を第１壁によって効果的に支持することができる。したがって、このようなフィールド機器セットは、フィールド機器の耐振動性を確保しつつ支持面に取付け可能である。また、このようなフィールド機器セットは、屈曲板部材を１枚の板材のみで構成可能であるので、構成を簡素化可能である。
【０００７】
一実施形態に係るフィールド機器セットは、上記構成において、第３壁は、第２壁が位置する側から基部壁を越えて突出する延長部を有し、第２壁は、フィールド機器に取付け可能である。このような構成によれば、第３壁の延長部を支持面に当接させた状態で基部壁を支持面に取付けることにより、第２壁にフィールド機器を取付けた場合でも、第２屈曲部を中心とするフィールド機器の揺動を支持面に延長部で当接した第３壁によって支持することができ、耐振動性を確保することができる。
【０００８】
一実施形態に係るフィールド機器セットは、上記構成において、屈曲板部材は、基部壁に第２屈曲部と平行な直線状の第４屈曲部を介して連なるとともに基部壁に対して第１壁と同じ側に位置し、基部壁と垂直な平面状の第４壁と、第４壁に直線状の第５屈曲部を介して連なるとともに第１壁と平行な第５壁と、を有し、第１壁及び第５壁は、所定の締結具によってフィールド機器に共締め可能な重合部を有する。このような構成によれば、第１壁及び第５壁を重合部においてフィールド機器に共締めすることにより、第１屈曲部を中心とするフィールド機器の揺動を第５壁及び第４壁によって効果的に支持するとともに、第４屈曲部を中心とするフィールド機器の揺動を第１壁によって効果的に支持することができる。したがって、耐振動性を更に高めることができる。
【０００９】
一実施形態に係るフィールド機器セットは、上記構成において、第５壁は、第４壁が位置する側から基部壁を越えて突出する延長部を有し、第４壁は、フィールド機器に取付け可能である。このような構成によれば、第５壁の延長部を支持面に当接させた状態で基部壁を支持面に取付けることにより、第４壁にフィールド機器を取付けた場合でも、第４屈曲部を中心とするフィールド機器の揺動を支持面に延長部で当接した第５壁によって支持することができ、耐振動性を確保することができる。
【００１０】
一実施形態に係るフィールド機器セットは、上記構成において、屈曲板部材は、基部壁に第１屈曲部と平行な直線状の第６屈曲部を介して連なるとともに基部壁に対して第１壁と反対の側に位置し、基部壁と垂直な平面状の第６壁を有し、第６壁は、第３壁の延長部と同一の形状及び寸法の第１部分と、第５壁の延長部と同一の形状及び寸法の第２部分と、を有する。このような構成によれば、第３壁の延長部、第５壁の延長部、第６壁の第１部分、及び第６壁の第２部分を壁面の支持面に当接させることができるので、壁面の支持面への取付けの安定性を向上することができる。
【００１１】
一実施形態に係るフィールド機器セットは、上記構成において、第３壁の延長部は、第２壁の側から第４壁の側に向けて基部壁の側に傾斜する傾斜端面を有し、第５壁の延長部は、第３壁の延長部の傾斜端面と対称形状の傾斜端面を有する。このような構成によれば、第３壁の延長部の傾斜端面、第５壁の延長部の傾斜端面、第６壁の第１部分の傾斜端面、及び第６壁の第２部分の傾斜端面を支柱の支持面に当接させることができるので、支柱の支持面への取付けの安定性を向上することができる。
【００１２】
一実施形態に係るフィールド機器セットは、上記構成において、基部壁は、Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部と、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部と異なる他の１つである第２取付け部と、を有する。このような構成によれば、Ｕ字ボルト又は一対のボルトを用いる（支柱又は壁面等の）支持面への取付け、ベルトを用いる（支柱等の）支持面への取付け、及びマグネットを用いる（壁面等の）支持面への取付けのうちの少なくとも２種類を利用可能にすることができる。すなわち、支持面への複数種類の取付けを可能にすることができる。
【００１３】
一実施形態に係るフィールド機器セットは、上記構成において、基部壁は、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部及び第２取付け部のいずれとも異なる他の１つである第３取付け部を有する。このような構成によれば、Ｕ字ボルト又は一対のボルトを用いる（支柱又は壁面等の）支持面への取付け、ベルトを用いる（支柱等の）支持面への取付け、及びマグネットを用いる（壁面等の）支持面への取付けの、３種類の取り付けを利用可能にすることができる。
【００１４】
幾つかの実施形態に係るブラケットは、屈曲板部材を有するブラケットであって、屈曲板部材は、Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部を有する平面状の基部壁と、基部壁に直線状の第１屈曲部を介して連なるとともに基部壁と垂直な平面状の第１壁と、基部壁に第１屈曲部と垂直な直線状の第２屈曲部を介して連なるとともに基部壁に対して第１壁と同じ側に位置し、基部壁と垂直な平面状の第２壁と、第２壁に直線状の第３屈曲部を介して連なるとともに第１壁と平行な第３壁と、を有し、第１壁は、丸孔で構成される第１壁取付け部を有し、第３壁は、丸孔で構成される第３壁取付け部を有し、第１壁取付け部と第３壁取付け部とは、共通のボルトを挿入可能に重合している。このような構成によれば、基部壁の第１取付け部を支持面に取付けるとともに、第１壁取付け部と第３壁取付け部とを共通のボルトでフィールド機器に共締めすることにより、第１屈曲部を中心とするフィールド機器の揺動を第３壁及び第２壁によって効果的に支持するとともに、第２屈曲部を中心とするフィールド機器の揺動を第１壁によって効果的に支持することができる。したがって、このようなブラケットは、フィールド機器の耐振動性を確保しつつ支持面に取付け可能である。また、このようなブラケットは、屈曲板部材を１枚の板材のみで構成可能であるので、構成を簡素化可能である。
【００１５】
一実施形態に係るブラケットは、上記構成において、第３壁は、第２壁が位置する側から基部壁を越えて突出する延長部を有し、第２壁は、ボルトを挿入可能な丸孔で構成される第２壁取付け部を有する。このような構成によれば、第３壁の延長部を支持面に当接させた状態で基部壁の第１取付け部を支持面に取付けることにより、フィールド機器を第２壁の第２壁取付け部に取付けた場合でも、第２屈曲部を中心とするフィールド機器の揺動を支持面に延長部で当接した第３壁によって支持することができ、耐振動性を確保することができる。
【００１６】
一実施形態に係るブラケットは、上記構成において、屈曲板部材は、基部壁に第２屈曲部と平行な直線状の第４屈曲部を介して連なるとともに基部壁に対して第１壁と同じ側に位置し、基部壁と垂直な平面状の第４壁と、第４壁に直線状の第５屈曲部を介して連なるとともに第１壁と平行な第５壁と、を有し、第５壁は、丸孔で構成される第５壁取付け部を有し、第１壁取付け部と第５壁取付け部とは、共通のボルトを挿入可能に重合している。このような構成によれば、基部壁の第１取付け部を支持面に取付けるとともに、第１壁取付け部と第５壁取付け部とを共通のボルトでフィールド機器に共締めすることにより、第１屈曲部を中心とするフィールド機器の揺動を第５壁及び第４壁によって効果的に支持するとともに、第４屈曲部を中心とするフィールド機器の揺動を第１壁によって効果的に支持することができる。したがって、耐振動性を更に高めることができる。
【００１７】
一実施形態に係るブラケットは、上記構成において、第５壁は、第４壁が位置する側から基部壁を越えて突出する延長部を有し、第４壁は、ボルトを挿入可能な丸孔で構成される第４壁取付け部を有する。このような構成によれば、第５壁の延長部を支持面に当接させた状態で基部壁の第１取付け部を支持面に取付けることにより、フィールド機器を第４壁の第４壁取付け部に取付けた場合でも、第４屈曲部を中心とするフィールド機器の揺動を支持面に延長部で当接した第５壁によって支持することができ、耐振動性を確保することができる。
【００１８】
一実施形態に係るブラケットは、上記構成において、屈曲板部材は、基部壁に第１屈曲部と平行な直線状の第６屈曲部を介して連なるとともに基部壁に対して第１壁と反対の側に位置し、基部壁と垂直な平面状の第６壁を有し、第６壁は、第３壁の延長部と同一の形状及び寸法の第１部分と、第５壁の延長部と同一の形状及び寸法の第２部分と、を有する。このような構成によれば、第３壁の延長部、第５壁の延長部、第６壁の第１部分、及び第６壁の第２部分を壁面の支持面に当接させることができるので、壁面の支持面への取付けの安定性を向上することができる。
【００１９】
一実施形態に係るブラケットは、上記構成において、第３壁の延長部は、第２壁の側から第４壁の側に向けて基部壁の側に傾斜する傾斜端面を有し、第５壁の延長部は、第３壁の延長部の傾斜端面と対称形状の傾斜端面を有する。このような構成によれば、第３壁の延長部の傾斜端面、第５壁の延長部の傾斜端面、第６壁の第１部分、及び第６壁の第２部分を支柱の支持面に当接させることができるので、支柱の支持面への取付けの安定性を向上することができる。
【００２０】
一実施形態に係るブラケットは、上記構成において、基部壁は、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部と異なる他の１つである第２取付け部を有する。このような構成によれば、Ｕ字ボルト又は一対のボルトを用いる（支柱又は壁面等の）支持面への取付け、ベルトを用いる（支柱等の）支持面への取付け、及びマグネットを用いる（壁面等の）支持面への取付けのうちの少なくとも２種類を利用可能にすることができる。すなわち、支持面への複数種類の取付けを可能にすることができる。
【００２１】
一実施形態に係るブラケットは、上記構成において、基部壁は、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部及び第２取付け部のいずれとも異なる他の１つである第３取付け部を有する。このような構成によれば、Ｕ字ボルト又は一対のボルトを用いる（支柱又は壁面等の）支持面への取付け、ベルトを用いる（支柱等の）支持面への取付け、及びマグネットを用いる（壁面等の）支持面への取付けの、３種類の取り付けを利用可能にすることができる。
【００２２】
幾つかの実施形態に係るブラケットの製造方法は、１枚の板材からなる屈曲板部材を有するブラケットの製造方法であって、屈曲板部材は、Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部を有する平面状の基部壁と、基部壁に直線状の第１屈曲部を介して連なるとともに基部壁と垂直な平面状の第１壁と、基部壁に第１屈曲部と垂直な直線状の第２屈曲部を介して連なるとともに基部壁に対して第１壁と同じ側に位置し、基部壁と垂直な平面状の第２壁と、第２壁に直線状の第３屈曲部を介して連なるとともに第１壁と平行な第３壁と、を有し、第１壁は、丸孔で構成される第１壁取付け部を有し、第３壁は、丸孔で構成される第３壁取付け部を有し、第１壁取付け部と第３壁取付け部とは、共通のボルトを挿入可能に重合しており、１枚の板材に第１屈曲部、第２屈曲部及び第３屈曲部を設ける曲げ工程を有する。このような構成によれば、製造されるブラケットは、基部壁の第１取付け部を支持面に取付けるとともに、第１壁取付け部と第３壁取付け部とを共通のボルトでフィールド機器に共締めすることにより、第１屈曲部を中心とするフィールド機器の揺動を第３壁及び第２壁によって効果的に支持するとともに、第２屈曲部を中心とするフィールド機器の揺動を第１壁によって効果的に支持することができる。したがって、このようなブラケットは、フィールド機器の耐振動性を確保しつつ支持面に取付け可能である。また、このようなブラケットは、１枚の板材からなる屈曲板部材を用いているので、構成を簡素化可能である。また、このようなブラケットの製造方法は、１枚の板材に第１屈曲部、第２屈曲部及び第３屈曲部を設ける曲げ工程を有するので、ブラケットを容易に製造可能である。
【００２３】
一実施形態に係るブラケットの製造方法は、上記構成において、屈曲板部材は、基部壁に第２屈曲部と平行な直線状の第４屈曲部を介して連なるとともに基部壁に対して第１壁と同じ側に位置し、基部壁と垂直な平面状の第４壁と、第４壁に直線状の第５屈曲部を介して連なるとともに第１壁と平行な第５壁と、を有し、第５壁は、丸孔で構成される第５壁取付け部を有し、第１壁取付け部と第５壁取付け部とは、共通のボルトを挿入可能に重合しており、曲げ工程により１枚の板材に第４屈曲部及び第５屈曲部を設ける。このような構成によれば、製造されるブラケットは、基部壁の第１取付け部を支持面に取付けるとともに、第１壁取付け部と第５壁取付け部とを共通のボルトでフィールド機器に共締めすることにより、第１屈曲部を中心とするフィールド機器の揺動を第５壁及び第４壁によって効果的に支持するとともに、第４屈曲部を中心とするフィールド機器の揺動を第１壁によって効果的に支持することができる。したがって、耐振動性を更に高めることができる。また、このようなブラケットの製造方法は、曲げ工程により１枚の板材に第４屈曲部及び第５屈曲部を設けるので、ブラケットを容易に製造可能である。
【００２４】
一実施形態に係るブラケットの製造方法は、上記構成において、第３壁は、第２壁が位置する側から基部壁を越えて突出する延長部を有し、第２壁は、ボルトを挿入可能な丸孔で構成される第２壁取付け部を有し、第５壁は、第４壁が位置する側から基部壁を越えて突出する延長部を有し、第４壁は、ボルトを挿入可能な丸孔で構成される第４壁取付け部を有し、屈曲板部材は、基部壁に第１屈曲部と平行な直線状の第６屈曲部を介して連なるとともに基部壁に対して第１壁と反対の側に位置し、基部壁と垂直な平面状の第６壁を有し、第６壁は、第３壁の延長部と同一の形状及び寸法の第１部分と、第５壁の延長部と同一の形状及び寸法の第２部分と、を有し、曲げ工程により１枚の板材に第６屈曲部を設ける。このような構成によれば、製造されるブラケットは、第３壁の延長部、第５壁の延長部、第６壁の第１部分、及び第６壁の第２部分を壁面の支持面に当接させることができるので、壁面の支持面への取付けの安定性を向上することができる。また、このようなブラケットの製造方法は、曲げ工程により１枚の板材に第６屈曲部を設けるので、ブラケットを容易に製造可能である。
【発明の効果】
【００２５】
本開示によれば、フィールド機器の耐振動性を確保しつつ支持面に取付け可能であり、構成を簡素化可能な、フィールド機器セット、ブラケット及びブラケットの製造方法を提供することができる。
【図面の簡単な説明】
【００２６】
【図１】本発明の一実施形態に係るフィールド機器セットを示す斜視図である。
【図２】図１に示す屈曲板部材の斜視図である。
【図３】図１に示す屈曲板部材の他の角度から視た斜視図である。
【図４】図１に示す屈曲板部材の正面図である。
【図５】図１に示す屈曲板部材の上面図である。
【図６】図１に示す屈曲板部材の右側面図である。
【図７】図１に示す屈曲板部材の左側面図である。
【図８】図１に示す屈曲板部材の底面図である。
【図９】図１に示す屈曲板部材の背面図である。
【図１０】図１に示す屈曲板部材を曲げ工程の直前の状態で示す平面図である。
【図１１】図１に示すフィールド機器セットを鉛直方向に延在する支柱の支持面にＵ字ボルトによって取付けるときの一例を示す斜視図である。
【図１２】図１に示すフィールド機器セットを鉛直方向に延在する支柱の支持面にＵ字ボルトによって取付けるときの他の一例を示す斜視図である。
【図１３】図１に示すフィールド機器セットを水平方向に延在する支柱の支持面にＵ字ボルトによって取付けるときの一例を示す斜視図である。
【図１４】図１に示すフィールド機器セットを鉛直方向に延在する支柱の支持面にベルトによって取付けるときの一例を示す斜視図である。
【図１５】図１に示すフィールド機器セットを鉛直方向に延在する壁面の支持面に一対のボルトによって取付けるときの一例を示す斜視図である。
【図１６】図１に示すフィールド機器セットを磁性体で構成される支持面にマグネットによって取付けるときの一例を示す斜視図である。
【図１７】図１６に示すフィールド機器セットを支持面に取付けた状態を示す側面図である。
【図１８】本発明の一実施形態に係るブラケットの製造方法における各工程を示すフローチャートである。
【図１９】ブラケットの一例を示す斜視図である。
【図２０】図１９に示すブラケットの他の角度から視た斜視図である。
【発明を実施するための形態】
【００２７】
以下、図面を参照して、本発明の実施形態に係るフィールド機器セット、ブラケット及びブラケットの製造方法について、詳細に例示説明する。
【００２８】
まず、図１〜図１７を参照して、本発明の実施形態に係るフィールド機器セット及びブラケットについて、詳細に例示説明する。
【００２９】
図１に示すように、本実施形態に係るフィールド機器セット１は、フィールド機器２と、フィールド機器２を支持面３（図１１等参照）に取付けるためのブラケット４（すなわち、本実施形態に係るブラケット）と、で構成されている。ブラケット４は、屈曲板部材５を有している。より具体的に、ブラケット４は、本実施形態では、屈曲板部材５からなっている。しかし、ブラケット４は、例えば、屈曲板部材５に補強用又は防振用等の他の（鋼鉄等の金属製、又はゴム製等の）部材を固着した構成としてもよい。
【００３０】
フィールド機器２は、プラントにおいて用いられる機器であり、本実施形態では、圧力計、流量計、温度計等のセンサ機器として構成されている。しかし、フィールド機器２は、センサ機器以外であってもよく、例えば、流量制御弁や開閉弁等のバルブ機器、ファンやモータ等のアクチュエータ機器、プラント内の状況や対象物を撮影するカメラやビデオ等の撮像機器、プラント内の異音等を収集したり警報音等を発したりするマイクやスピーカ等の音響機器、各機器の位置情報を出力する位置検出機器、その他の機器であってもよい。プラントは、化学等の工業プラント、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント、その他のプラントであってよい。
【００３１】
フィールド機器２は、本実施形態では、２つ以上のねじ穴（図示省略）を有する取付け面２ａを有している。より具体的に、フィールド機器２は、中心軸線Ｏを有する大径部２ｂとその下方に同心状に連なる小径部２ｃとからなる２段柱状をなしている。大径部２ｂは、外周面が上方に向けて僅かに縮径する円柱状をなしており、その底部が取付け面２ａとなっている。小径部２ｃは、上下方向に亘って同径の円柱状をなしている。しかし、フィールド機器２の形状はこのような２段柱状に限られず、例えば、小径部２ｃを有さずに大径部２ｂのみを有する円柱状又は角柱状等の柱状であってもよいし、柱状以外の形状であってもよい。
【００３２】
説明の便宜上、特に断らない限り、フィールド機器２について上下方向とは、中心軸線Ｏに沿う方向を意味し、上方とは、中心軸線Ｏに沿って小径部２ｃから大径部２ｂに向かう方向（図１における上方）を意味し、下方とはその反対方向を意味する。フィールド機器２は、中心軸線Ｏが鉛直方向に沿った姿勢でブラケット４によって支持面３に取付けられてもよいし、例えば、中心軸線Ｏが水平方向に沿った姿勢でブラケット４によって支持面３に取付けられてもよい。
【００３３】
屈曲板部材５は、１枚の板材からなっている。より具体的に、屈曲板部材５は、図１０に示すような１枚の鋼鉄製の板材６を屈曲させることにより形成されている。なお、板材６は、鋼鉄製のものに限られず、鋼鉄以外の金属製のものであってもよく、金属製以外のものであってもよい。図１０には、後述する第１屈曲部１１、第２屈曲部２１、第３屈曲部３１、第４屈曲部４１、第５屈曲部５１、及び第６屈曲部６１に対応する部分を、それぞれ、これらの符号を付した二点鎖線で示している。
【００３４】
図２、図３に示すように、屈曲板部材５は、支持面３（図１１等参照）に取付け可能な平面状の基部壁７０を有している。また、屈曲板部材５は、基部壁７０に直線状の第１屈曲部１１を介して連なるとともに基部壁７０と垂直な平面状の第１壁１０と、基部壁７０に第１屈曲部１１と垂直な直線状の第２屈曲部２１を介して連なるとともに基部壁７０に対して第１壁１０と同じ側に位置し、基部壁７０と垂直な平面状の第２壁２０と、第２壁２０に直線状の第３屈曲部３１を介して連なるとともに第１壁１０と平行な第３壁３０と、を有している。
【００３５】
図１に示すように、第１壁１０及び第３壁３０は、所定の締結具（本実施形態ではボルト８０）によってフィールド機器２に共締め可能な重合部９０を有している。より具体的に、本実施形態では、第１壁１０は、丸孔で構成される第１壁取付け部１２（図３参照）を有しており、第３壁３０は、丸孔で構成される第３壁取付け部３２（図１参照）を有しており、第１壁取付け部１２と第３壁取付け部３２とは、共通のボルト８０を挿入可能に重合している。第１壁１０及び第３壁３０は、第１壁取付け部１２及び第３壁取付け部３２に挿入されたボルト８０をフィールド機器２の取付け面２ａのねじ穴に締結することにより、フィールド機器２に取付け可能である。第１壁取付け部１２は、それぞれ、本実施形態ではボルト８０を挿入可能な６つの丸孔で構成されているが、丸孔の数は適宜増減が可能である。第３壁取付け部３２は、本実施形態ではボルト８０を挿入可能な３つの丸孔で構成されているが、丸孔の数は適宜増減が可能である。第１壁１０及び第３壁３０は、少なくともフィールド機器２に共締めされた状態において、重合部９０で互いに接触する（すなわち、第１壁１０の上面と第３壁３０の下面とが互いに接触する）ように構成されている。
【００３６】
説明の便宜上、特に断らない限り、屈曲板部材５について上下方向とは、第２屈曲部２１に沿う方向を意味し、上方とは、第２屈曲部２１に沿って第１屈曲部１１に近づく方向（図４における上方）を意味し、下方とはその反対方向を意味する。また、屈曲板部材５について前後方向とは、第３屈曲部３１に沿う方向を意味し、前方とは、第３屈曲部３１に沿って第２屈曲部２１から遠ざかる方向（図５における下方）を意味し、後方とはその反対方向を意味する。また、屈曲板部材５について左右方向とは、第１屈曲部１１に沿う方向を意味し、右方向とは、第１屈曲部１１に沿って第２屈曲部２１に近づく方向（図４における右方向）を意味し、左方向とはその反対方向を意味する。
【００３７】
図２、図３に示すように、第３壁３０は、第２壁２０が位置する側から基部壁７０を越えて突出する延長部３３を有しており、第２壁２０は、フィールド機器２に取付け可能である。より具体的に、第２壁２０は、ボルト８０を挿入可能な丸孔で構成される第２壁取付け部２２を有している。第２壁２０は、ボルト８０を第２壁取付け部２２に挿入してフィールド機器２の取付け面２ａのねじ穴に締結することにより、フィールド機器２に取付け可能である。第２壁取付け部２２は、本実施形態ではボルト８０を挿入可能な４つの丸孔で構成されているが、丸孔の数は適宜増減が可能である。
【００３８】
図２、図３に示すように、屈曲板部材５は、基部壁７０に第２屈曲部２１と平行な直線状の第４屈曲部４１を介して連なるとともに基部壁７０に対して第１壁１０と同じ側に位置し、基部壁７０と垂直な平面状の第４壁４０と、第４壁４０に直線状の第５屈曲部５１を介して連なるとともに第１壁１０と平行な第５壁５０と、を有している。
【００３９】
図１に示すように、第１壁１０及び第５壁５０は、本実施形態では、所定の締結具（本実施形態ではボルト８０）によってフィールド機器２に共締め可能な重合部９１を有している。より具体的に、第５壁５０は、丸孔で構成される第５壁取付け部５２を有し、第１壁取付け部１２と第５壁取付け部５２とは、共通のボルト８０を挿入可能に重合している。第１壁１０及び第５壁５０は、第１壁取付け部１２及び第５壁取付け部５２に挿入されたボルト８０をフィールド機器２の取付け面２ａのねじ穴に締結することにより、フィールド機器２に取付け可能である。第５壁取付け部５２は、本実施形態ではボルト８０を挿入可能な３つの丸孔で構成されているが、丸孔の数は適宜増減が可能である。第１壁１０及び第５壁５０は、少なくともフィールド機器２に共締めされた状態において、重合部９１で互いに接触する（すなわち、第１壁１０の上面と第５壁５０の下面とが互いに接触する）ように構成されている。
【００４０】
図２、図３に示すように、第５壁５０は、第４壁４０が位置する側から基部壁７０を越えて突出する延長部５３を有しており、第４壁４０は、フィールド機器２に取付け可能である。より具体的に、第４壁４０は、ボルト８０を挿入可能な丸孔で構成される第４壁取付け部４２を有している。第４壁４０は、ボルト８０を第４壁取付け部４２に挿入してフィールド機器２の取付け面２ａのねじ穴に締結することにより、フィールド機器２に取付け可能である。第４壁取付け部４２は、本実施形態ではボルトを挿入可能な４つの丸孔で構成されているが、丸孔の数は適宜増減が可能である。
【００４１】
図２、図３に示すように、屈曲板部材５は、基部壁７０に第１屈曲部１１と平行な直線状の第６屈曲部６１を介して連なるとともに基部壁７０に対して第１壁１０と反対の側に位置し、基部壁７０と垂直な平面状の第６壁６０を有している。第６壁６０は、第３壁３０の延長部３３と同一の形状及び寸法の第１部分６２と、第５壁５０の延長部５３と同一の形状及び寸法の第２部分６３と、を有している。
【００４２】
本実施形態では、第３壁３０の延長部３３は、第２壁２０の側から第４壁４０の側に向けて基部壁７０の側に傾斜する傾斜端面３４を有しており、第５壁５０の延長部５３は、第３壁３０の延長部３３の傾斜端面３４と対称形状の傾斜端面５４を有している。したがって、第６壁６０の第１部分６２は、第３壁３０の延長部３３の傾斜端面３４と同一の形状及び寸法の傾斜端面６４を有しており、第６壁６０の第２部分６３は、第５壁５０の延長部５３の傾斜端面５４と同一の形状及び寸法の傾斜端面６５を有している。
【００４３】
より具体的に、屈曲板部材５は、図４〜図９に示す形状をなしている。図４は、屈曲板部材５の正面図であり、図５は、屈曲板部材５の上面図であり、図６は、屈曲板部材５の右側面図であり、図７は、屈曲板部材５の左側面図であり、図８は、屈曲板部材５の底面図であり、図９は、屈曲板部材５の背面図である。
【００４４】
本実施形態では、フィールド機器２の小径部２ｃの取付けスペースを形成するために、重合部９０、９１の前端には、円弧状の切欠き９２が設けられている。また、同様の目的で、第２壁２０の下部前方には、円弧状の切欠き９３が設けられており、第４壁４０の下部前方には、円弧状の切欠き９４が設けられている。
【００４５】
図４に示すように、基部壁７０は、Ｕ字ボルト８２の両端（図１１等参照）又は一対のボルト８３（図１５参照）を挿入可能な一対の丸孔７１と、ベルト８４（図１５参照）を挿入可能な一対の長孔７２と、マグネット８５取付け用のボルト８６（図１６等参照）を挿入可能な丸孔７３と、のうちの１つである第１取付け部７４（本実施形態では、一対の丸孔７１）を有している。また、基部壁７０は、Ｕ字ボルト８２の両端又は一対のボルト８３を挿入可能な一対の丸孔７１と、ベルト８４を挿入可能な一対の長孔７２と、マグネット８５取付け用のボルト８６を挿入可能な丸孔７３と、のうちの第１取付け部７４と異なる他の１つである第２取付け部７５（本実施形態では、一対の長孔７２）を有している。また、基部壁７０は、Ｕ字ボルト８２の両端又は一対のボルト８３を挿入可能な一対の丸孔７１と、ベルト８４を挿入可能な一対の長孔７２と、マグネット８５取付け用のボルト８６を挿入可能な丸孔７３と、のうちの第１取付け部７４及び第２取付け部７５のいずれとも異なる他の１つである第３取付け部７６（本実施形態では、丸孔７３）を有している。
【００４６】
本実施形態に係るフィールド機器セット１は、図１１に示すように、鉛直方向に延在する支柱７の外周面で構成される支持面３に取付け可能である。より具体的に、フィールド機器セット１は、Ｕ字ボルト８２を支柱７に掛けてその両端を一対の丸孔７１に通すとともに、第３壁３０の延長部３３、第５壁５０の延長部５３、第６壁６０の第１部分６２及び第６壁６０の第２部分６３を支持面３に当接させた状態で、Ｕ字ボルト８２の両端にそれぞれナット８２ａを締結することにより、支柱７の支持面３に取付け可能である。このとき、第３壁３０の延長部３３、第５壁５０の延長部５３、第６壁６０の第１部分６２及び第６壁６０の第２部分６３は、その傾斜端面３４、５４、６４、６５で円柱外周面形状の支持面３に当接することができる。したがって、円柱外周面形状の支持面３に対する安定した取付けを可能にすることができる。また、様々な径寸法の支持面３に適応することも可能である。
【００４７】
フィールド機器セット１は、図１１に示す例、及び後述する図１２〜図１６にそれぞれ示す例では、フィールド機器２がブラケット４に取付けられた状態で、ブラケット４が支持面３に取付けられている。しかし、フィールド機器セット１は、ブラケット４が支持面３に取付けられてから、ブラケット４にフィールド機器２が取付けられてもよい。
【００４８】
支柱７は、各種プラントにおいて各種フィールド機器を設置するための支持部として通常設けられるものであり、スタンションとも称される。支柱７は、図１１に示す例では円柱状をなしているが、角柱状等、円柱状以外の柱状をなしていてもよい。
【００４９】
フィールド機器セット１は、図１、図１１に示すように、フィールド機器２がブラケット４の重合部９０、９１に上方から取付けられるとともに、Ｕ字ボルト８２が前述した要領で用いられることにより、支柱７の支持面３に取付けられてもよいし、図１２に示すように、フィールド機器２がブラケット４の重合部９０、９１に下方から取付けられるとともに、Ｕ字ボルト８２が前述した要領で用いられることにより、支柱７の支持面３に取付けられてもよい。いずれの場合でも、フィールド機器セット１は、フィールド機器２を鉛直上向きにして、鉛直方向に延在する支柱７の支持面３に取付けることができる。しかし、フィールド機器セット１は、フィールド機器２を鉛直下向きにして、鉛直方向に延在する支柱７の支持面３に取付けられてもよい。
【００５０】
フィールド機器セット１は、図１３に示すように、水平方向に延在する支柱７の外周面で構成される支持面３に取付け可能である。より具体的に、フィールド機器セット１は、Ｕ字ボルト８２が前述した要領で用いられることにより、水平方向に延在する支柱７の支持面３に取付け可能である。図１３に示す例では、フィールド機器セット１は、フィールド機器２が第２壁２０に右側から取付けられることで、フィールド機器２を鉛直上向きにして支持面３に取付けられている。しかし、フィールド機器セット１は、フィールド機器２の寸法が十分に小さい場合には、フィールド機器２が第２壁２０に左側から取付けられることで、フィールド機器２を鉛直下向きにして支持面３に取付けられてもよい。フィールド機器２は、図１３に示す例では第２壁２０に取付けられているが、第４壁４０に取付けられてもよい。
【００５１】
フィールド機器セット１は、フィールド機器２を水平方向に向けて支持面３に取付けられてもよい。より具体的に、フィールド機器セット１は、図１１に示すような鉛直方向に延在する支柱７の支持面３に取付けられる場合には、フィールド機器２が第２壁２０又は第４壁４０に取付けられるとともにＵ字ボルト８２が前述した要領で用いられることにより、支柱７の支持面３に取付けられてもよい。また、フィールド機器セット１は、図１３に示すような水平方向に延在する支柱７の支持面３に取付けられる場合には、フィールド機器２が重合部９０、９１に取付けられるとともにＵ字ボルト８２が前述した要領で用いられることにより、支柱７の支持面３に取付けられてもよい。
【００５２】
フィールド機器セット１は、フィールド機器２を鉛直方向及び水平方向のいずれとも異なる方向に延在する支柱７の支持面３に取付けられてもよい。
【００５３】
フィールド機器セット１は、図１４に示すように、ベルト８４を用いることにより、支柱７の支持面３に取付け可能である。より具体的に、フィールド機器セット１は、ベルト８４を一対の長孔７２に通して支柱７に掛けるとともに、第３壁３０の延長部３３、第５壁５０の延長部５３、第６壁６０の第１部分６２及び第６壁６０の第２部分６３を支持面３に当接させた状態で、ベルト８４を締めて留め具８４ａで止めることにより、支柱７の支持面３に取付け可能である。支持面３は、図１４に示す例では鉛直方向に延在する支柱７の外周面で構成されているが、水平方向に延在する支柱７の外周面で構成されてもよいし、鉛直方向及び水平方向のいずれとも異なる方向に延在する支柱７の外周面で構成されてもよい。フィールド機器２は、図１４に示す例では重合部９０、９１に上方から取付けられているが、重合部９０、９１に下方から取付けられてもよい。フィールド機器２は、図１４に示す例では重合部９０、９１に取付けられているが、第２壁２０又は第４壁４０に取付けられてもよい。
【００５４】
フィールド機器セット１は、図１５に示すように、一対のボルト８３を用いることにより、壁面８の支持面３に取付け可能である。より具体的に、フィールド機器セット１は、一対のボルト８３を一対の丸孔７１に通すとともに、第３壁３０の延長部３３、第５壁５０の延長部５３、第６壁６０の第１部分６２及び第６壁６０の第２部分６３を支持面３に当接させた状態で、一対のボルト８３を壁面８に設けられた一対のねじ穴８３ａに締結することにより、壁面８の支持面３に取付け可能である。このとき、第３壁３０の延長部３３、第５壁５０の延長部５３、第６壁６０の第１部分６２及び第６壁６０の第２部分６３は、その後端面で平面状の支持面３に当接することができる。したがって、平面状の支持面３に対する安定した取付けを可能にすることができる。
【００５５】
壁面８の支持面３は、図１５に示す例では鉛直方向に延在しているが、水平方向に延在していてもよいし、鉛直方向及び水平方向のいずれとも異なる方向に延在していてもよい。一対のねじ穴８３ａは、図１５に示す例では水平方向に並んでいるが、鉛直方向に並んでいてもよいし、鉛直方向及び水平方向のいずれとも異なる方向に並んでいてもよい。壁面８の支持面３は、図１５に示す例では平面状をなしているが、曲面状をなしていてもよい。フィールド機器２は、図１５に示す例では重合部９０、９１に上方から取付けられているが、重合部９０、９１に下方から取付けられてもよい。フィールド機器２は、図１５に示す例では重合部９０、９１に取付けられているが、第２壁２０又は第４壁４０に取付けられてもよい。
【００５６】
フィールド機器セット１は、図１６、図１７に示すように、マグネット８５を用いることにより、鋼鉄等の磁性体で構成される支持面３に取付け可能である。より具体的に、フィールド機器セット１は、マグネット８５取付け用のボルト８６を丸孔７３に通してマグネット８５に設けられたねじ穴８５ａに締結することでマグネット８５を基部壁７０の背面に取付けた状態で、マグネット８５の磁力によって支持面３に取付け可能である。この場合、マグネット８５の後端面が第３壁３０の延長部３３、第５壁５０の延長部５３、第６壁６０の第１部分６２及び第６壁６０の第２部分６３のそれぞれの後端面よりも後方に飛び出るようにマグネット８５の厚みを設定することで、マグネット８５を平面状の支持面３にその磁力によって貼り付けることができる。ブラケット４は本実施形態では鋼鉄製である（すなわち、磁性体である）ので、マグネット８５の厚みを、このような厚みより小さく設定した場合には、第３壁３０の延長部３３、第５壁５０の延長部５３、第６壁６０の第１部分６２及び第６壁６０の第２部分６３のそれぞれの後端面を、マグネット８５からの磁力によって支持面３に貼り付けることができる。マグネット８５は、図１５に示す例では円柱状をなしているが、その形状は適宜変更が可能である。
【００５７】
このような構成によれば、マグネット８５の磁力によってフィールド機器セット１を容易に支持面３に取付けることができ、その取付け位置の変更や取外しも容易である。したがって、このようなマグネット８５の磁力を用いた取付け方法は、試験的な測定等の目的で一時的な取付けが求められる場合などにおいて特に有効である。
【００５８】
支持面３は、図１６に示す例では鉛直方向に延在しているが、水平方向に延在していてもよいし、鉛直方向及び水平方向のいずれとも異なる方向に延在していてもよい。支持面３は、図１６に示す例では平面状をなしているが、曲面状をなしていてもよい。支持面３は、図１６に示す例では壁面８に設けられているが、壁面以外に設けられていてもよい。フィールド機器２は、図１６に示す例では重合部９０、９１に上方から取付けられているが、重合部９０、９１に下方から取付けられてもよい。フィールド機器２は、図１６に示す例では重合部９０、９１に取付けられているが、第２壁２０又は第４壁４０に取付けられてもよい。
【００５９】
以上説明した本実施形態に係るフィールド機器セット１によれば、第１壁１０及び第３壁３０を重合部９０においてフィールド機器２に共締めすることにより、第１屈曲部１１を中心とするフィールド機器２の揺動を第３壁３０及び第２壁２０によって効果的に支持するとともに、第２屈曲部２１を中心とするフィールド機器２の揺動を第１壁１０によって効果的に支持することができる。したがって、このようなフィールド機器セット１は、フィールド機器２の耐振動性を確保しつつ支持面３に取付け可能である。また、このようなフィールド機器セット１は、１枚の板材６からなる屈曲板部材５を用いているので、構成を簡素化可能である。
【００６０】
本実施形態に係るフィールド機器セット１によれば、第３壁３０の延長部３３を支持面３に当接させた状態で基部壁７０を支持面３に取付けることにより、第２壁２０にフィールド機器２を取付けた場合でも、第２屈曲部２１を中心とするフィールド機器２の揺動を支持面３に延長部３３で当接した第３壁３０によって支持することができ、耐振動性を確保することができる。
【００６１】
本実施形態に係るフィールド機器セット１によれば、第１壁１０及び第５壁５０を重合部９１においてフィールド機器２に共締めすることにより、第１屈曲部１１を中心とするフィールド機器２の揺動を第５壁５０及び第４壁４０によって効果的に支持するとともに、第４屈曲部４１を中心とするフィールド機器２の揺動を第１壁１０によって効果的に支持することができる。したがって、耐振動性を更に高めることができる。
【００６２】
本実施形態に係るフィールド機器セット１によれば、第５壁５０の延長部５３を支持面３に当接させた状態で基部壁７０を支持面３に取付けることにより、第４壁４０にフィールド機器２を取付けた場合でも、第４屈曲部４１を中心とするフィールド機器２の揺動を支持面３に延長部５３で当接した第５壁５０によって支持することができ、耐振動性を確保することができる。
【００６３】
本実施形態に係るフィールド機器セット１によれば、第３壁３０の延長部３３、第５壁５０の延長部５３、第６壁６０の第１部分６２、及び第６壁６０の第２部分６３を壁面８の支持面３に当接させることができるので、壁面８の支持面３への取付けの安定性を向上することができる。
【００６４】
本実施形態に係るフィールド機器セット１によれば、第３壁３０の延長部３３の傾斜端面３４、第５壁５０の延長部５３の傾斜端面５４、第６壁６０の第１部分６２の傾斜端面６４、及び第６壁６０の第２部分の傾斜端面６５を支柱７の支持面３に当接させることができるので、支柱７の支持面３への取付けの安定性を向上することができる。
【００６５】
本実施形態に係るフィールド機器セット１によれば、Ｕ字ボルト８２又は一対のボルト８３を用いる（支柱７又は壁面８等の）支持面３への取付け、ベルト８４を用いる（支柱７等の）支持面３への取付け、及びマグネット８５を用いる（壁面８等の）支持面３への取付けの、３種類の取り付けを利用可能にすることができる。
【００６６】
本実施形態に係るフィールド機器セット１は、種々の変更が可能である。本実施形態では、屈曲板部材５は、第３壁３０の第３壁３０の延長部３３、第５壁５０の延長部５３及び第６壁６０を有している。しかし、屈曲板部材５は、第３壁３０の第３壁３０の延長部３３、第５壁５０の延長部５３及び第６壁６０を有していなくてもよい。本実施形態では、屈曲板部材５は、第４壁４０及び第５壁５０を有している。しかし、屈曲板部材５は、第４壁４０及び第５壁５０を有していなくてもよい。本実施形態では、フィールド機器２の取付け面２ａには、２つ以上のねじ穴が設けられている。しかし、フィールド機器２の取付け面２ａに１つのみのねじ穴を設け、フィールド機器２が重合部９０のみにおいて共締めされる構成としてもよい。本実施形態では、基部壁７０は、第１取付け部７４、第２取付け部７５及び第３取付け部７６を有している。しかし、基部壁７０は、第１取付け部７４及び第２取付け部７５のみを有していてもよいし、第１取付け部７４のみを有していてもよい。基部壁７０は、第１取付け部７４、第２取付け部７５及び第３取付け部７６のいずれとも異なる、支持面３に取付け可能な取付け部を、追加的に有していてもよいし、第１取付け部７４、第２取付け部７５及び第３取付け部７６の少なくとも１つに替えて有していてもよい。第１取付け部７４、第２取付け部７５及び第３取付け部７６は、それぞれ、基部壁７０の替わりに、例えば、第２壁２０又は第４壁４０に設けられてもよい。本実施形態では、ベルト８４を挿入可能な一対の長孔７２が基部壁７０に設けられている。しかし、一対の長孔７２の一方が第２壁２０に設けられ、一対の長孔７２の他方が第４壁４０に設けられてもよい。本実施形態では、屈曲板部材５は、溶接部を有していない。しかし、屈曲板部材５は、例えば、第１壁１０と第３壁３０との間、及び第１壁１０と第５壁５０との間の少なくとも一方に溶接部を有していてもよいし、第３壁３０と第５壁５０との間に溶接部を有していてもよいし、基部壁７０と第３壁３０との間及び基部壁７０と第３壁３０との間に溶接部を有していてもよい。
【００６７】
次に、図１８を参照して、本発明の実施形態に係るブラケットの製造方法について、詳細に例示説明する。
【００６８】
本実施形態では、図１〜図１７を用いて説明したフィールド機器セット１におけるブラケット４を製造する場合について説明する。しかし、本実施形態に係るブラケットの製造方法は、前述した種々の変更を行ったブラケット４を製造する場合にも適用可能である。
【００６９】
本実施形態に係るブラケットの製造方法においては、図１８に示すように、まず、打ち抜き工程Ｓ１が行われる。打ち抜き工程Ｓ１は、所望の寸法の板材から、屈曲板部材５の展開形状をなす図１０に示すような１枚の板材６を、プレス機等によって打ち抜いて得る工程である。本実施形態では、打ち抜き工程Ｓ１により、１枚の板材６に、第１壁取付け部１２、第２壁取付け部２２、第３壁取付け部３２、第４壁取付け部４２、第５壁取付け部５２、第１取付け部７４、第２取付け部７５及び第３取付け部７６が設けられる。
【００７０】
本実施形態に係るブラケットの製造方法においては、打ち抜き工程Ｓ１に次いで、曲げ工程Ｓ２が行われる。曲げ工程Ｓ２は、１枚の板材６に第１屈曲部１１、第２屈曲部２１及び第３屈曲部３１を設ける工程である。本実施形態では、曲げ工程Ｓ２により、１枚の板材６に第４屈曲部４１、第５屈曲部５１及び第６屈曲部６１も設けられる。曲げ工程Ｓ２においては、板材６にベンディングマシン等によって曲げ加工を施すことで、第１屈曲部１１〜第６屈曲部６１を設けることができる。第１屈曲部１１〜第６屈曲部６１を設ける順序は適宜設定が可能である。
【００７１】
本実施形態に係るブラケットの製造方法によれば、曲げ工程Ｓ２により１枚の板材６に第１屈曲部１１〜第６屈曲部６１を設けるので、ブラケット４を容易に製造可能である。
【００７２】
前述した本実施形態は、本発明の実施形態の一例にすぎず、発明の要旨を逸脱しない範囲で種々変更可能であることはいうまでもない。
【００７３】
また、前記の実施形態に係るフィールド機器セットは、以下に記載するようなフィールド機器セットの実施形態として用いることもできる。また、以下に記載するフィールド機器セットの実施形態の変形例を図１９〜図２０に示す。この変形例は、第１壁を有しておらず、第３壁が延長部を有しておらず、第５壁も延長部を有していない。なお、図１９〜図２０において、図１〜図１８を用いて説明した実施形態における構成要素に対応する構成要素には、同一の符号を付している。
【００７４】
フィールド機器と、フィールド機器を支持面に取付けるためのブラケットと、で構成されるフィールド機器セットであって、ブラケットは、支持面に取付け可能な支持面取付け部と、フィールド機器に取付け可能なフィールド機器取付け部と、を有し、支持面取付け部は、Ｕ字ボルトの両端又は一対のボルトを挿入可能な一対の丸孔と、ベルトを挿入可能な一対の長孔と、マグネット取付け用のボルトを挿入可能な丸孔と、のうちの１つである第１取付け部と、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部と異なる他の１つである第２取付け部と、を有する、フィールド機器セット。このような構成によれば、支持面への複数種類の取付けを可能にすることができる。
【００７５】
このようなフィールド機器は、上記構成において、支持面取付け部は、Ｕ字ボルトの両端又は一対のボルトを挿入可能な一対の丸孔と、ベルトを挿入可能な一対の長孔と、マグネット取付け用のボルトを挿入可能な丸孔と、のうちの第１取付け部及び第２取付け部のいずれとも異なる他の１つである第３取付け部を有する構成であってもよい。
【００７６】
このようなフィールド機器は、上記構成において、ブラケットは、屈曲板部材を有し、屈曲板部材は、支持面取付け部を備える平面状の基部壁と、基部壁に直線状の第１屈曲部を介して連なるとともに基部壁と垂直な平面状の第１壁と、基部壁に第１屈曲部と垂直な直線状の第２屈曲部を介して連なるとともに基部壁に対して第１壁と同じ側に位置し、基部壁と垂直な平面状の第２壁と、第２壁に直線状の第３屈曲部を介して連なるとともに第１壁と平行な第３壁と、を有し、第１壁及び第３壁は、所定の締結具によってフィールド機器に共締め可能な重合部をフィールド機器取付け部の一部として有する構成であってもよい。また、屈曲板部材は１枚の板材からなっていてもよい。
【００７７】
このようなフィールド機器は、上記構成において、第３壁は、第２壁が位置する側から基部壁を越えて突出する延長部を有し、第２壁は、フィールド機器取付け部の他の一部を有する構成であってもよい。
【００７８】
このようなフィールド機器は、上記構成において、屈曲板部材は、基部壁に第２屈曲部と平行な直線状の第４屈曲部を介して連なるとともに基部壁に対して第１壁と同じ側に位置し、基部壁と垂直な平面状の第４壁と、第４壁に直線状の第５屈曲部を介して連なるとともに第１壁と平行な第５壁と、を有し、第１壁及び第５壁は、所定の締結具によってフィールド機器に共締め可能な重合部をフィールド機器取付け部の更なる他の一部として有する構成であってもよい。
【００７９】
このようなフィールド機器は、上記構成において、第５壁は、第４壁が位置する側から基部壁を越えて突出する延長部を有し、第４壁は、フィールド機器取付け部の更なる他の一部を有する構成であってもよい。
【００８０】
このようなフィールド機器は、上記構成において、屈曲板部材は、基部壁に第１屈曲部と平行な直線状の第６屈曲部を介して連なるとともに基部壁に対して第１壁と反対の側に位置し、基部壁と垂直な平面状の第６壁を有し、第６壁は、第３壁の延長部と同一の形状及び寸法の第１部分と、第５壁の延長部と同一の形状及び寸法の第２部分と、を有する構成であってもよい。
【００８１】
このようなフィールド機器は、上記構成において、第３壁の延長部は、第２壁の側から第４壁の側に向けて基部壁の側に傾斜する傾斜端面を有し、第５壁の延長部は、第３壁の延長部の傾斜端面と対称形状の傾斜端面を有する構成であってもよい。
【符号の説明】
【００８２】
１  フィールド機器セット
２  フィールド機器
２ａ  取付け面
２ｂ  大径部
２ｃ  小径部
３  支持面
４  ブラケット
５  屈曲板部材
６  板材
７  支柱
８  壁面
１０  第１壁
１１  第１屈曲部
１２  第１壁取付け部
２０  第２壁
２１  第２屈曲部
２２  第２壁取付け部
３０  第３壁
３１  第３屈曲部
３２  第３壁取付け部
３３  延長部
３４  傾斜端面
４０  第４壁
４１  第４屈曲部
４２  第４壁取付け部
５０  第５壁
５１  第５屈曲部
５２  第５壁取付け部
５３  延長部
５４  傾斜端面
６０  第６壁
６１  第６屈曲部
６２  第１部分
６３  第２部分
６４、６５  傾斜端面
７０  基部壁
７１  丸孔
７２  長孔
７３  丸孔
７４  第１取付け部
７５  第２取付け部
７６  第３取付け部
８０  ボルト
８２  Ｕ字ボルト
８２ａ  ナット
８３  ボルト
８３ａ  ねじ穴
８４  ベルト
８４ａ  留め具
８５  マグネット
８５ａ  ねじ穴
８６  ボルト
９０、９１  重合部
９２〜９４  切欠き
Ｏ  中心軸線
【図１】
2020071071.tif 000003
【図２】
2020071071.tif 000004
【図３】
2020071071.tif 000005
【図４】
2020071071.tif 000006
【図５】
2020071071.tif 000007
【図６】
2020071071.tif 000008
【図７】
2020071071.tif 000009
【図８】
2020071071.tif 000010
【図９】
2020071071.tif 000011
【図１０】
2020071071.tif 000012
【図１１】
2020071071.tif 000013
【図１２】
2020071071.tif 000014
【図１３】
2020071071.tif 000015
【図１４】
2020071071.tif 000016
【図１５】
2020071071.tif 000017
【図１６】
2020071071.tif 000018
【図１７】
2020071071.tif 000019
【図１８】
2020071071.tif 000020
【図１９】
2020071071.tif 000021
【図２０】
2020071071.tif 000022